(57)【要約】【課題】ノイズを十分に抑制することができるとともに、常に必要にして十分な受信感度を維持でき、しかも省電力化が図れる受信機を提供する。【解決手段】アプリケーション回路部に起因するノイズ（自家中毒ノイズ）を受信してその位相と振幅を制御し、制御後の出力に含まれるノイズ成分のレベルを希望波信号遮断状態で測定する。そして、ノイズレベルの測定結果を所定の閾値と比較してＡＮＣ回路部１０５のオン／オフを判断し、ノイズレベルが閾値以上であれば、ＡＮＣ回路部１０５をオンして当該ノイズを抑制し、ノイズレベルが閾値未満であればＡＮＣ回路部１０５をオフする。これにより、ノイズを十分に抑制することができるとともに、常に必要にして十分な受信感度を維持でき、しかも省電力化が図れる。【選択図】図１
2011176410.tif 000002
【特許請求の範囲】
【請求項１】
希望波信号を受信する第１のアンテナと、
前記第１のアンテナで受信された前記希望波信号を遮断する信号遮断部と、
相互に異なるアプリケーションを実行する複数のアプリケーション回路部と、
前記複数のアプリケーション回路部の少なくとも一に起因するノイズを受信する第２のアンテナと、
前記第２のアンテナで受信された前記ノイズの位相と振幅を制御して出力するアクティブノイズキャンセラ回路部と、
前記アクティブノイズキャンセラ回路部の出力を復調する受信回路部内に設けられ、ノイズレベル測定時に前記信号遮断部を制御して前記希望波信号を遮断した後、前記出力に含まれるノイズ成分のレベルを測定するノイズレベル測定部と、
前記ノイズレベル測定部の測定結果を所定の閾値と比較して前記アクティブノイズキャンセラ回路部のオン／オフを判断するオン／オフ判断部と、
を備えた受信機。
【請求項２】
希望波信号を受信する第１のアンテナと、
前記第１のアンテナで受信された前記希望波信号を遮断する信号遮断部と、
相互に異なるアプリケーションを実行する複数のアプリケーション回路部と、
前記複数のアプリケーション回路部の少なくとも一に起因するノイズを受信する第２のアンテナと、
前記第２のアンテナで受信された前記ノイズの位相と振幅を制御して出力するアクティブノイズキャンセラ回路部と、
受信機の状態変化を検出する状態変化検出部と、
前記アクティブノイズキャンセラ回路部の出力を復調する受信回路部内に設けられ、ノイズレベル測定時に前記信号遮断部を制御して前記希望波信号を遮断した後、前記出力に含まれるノイズ成分のレベルを測定し、さらにノイズレベル測定後に前記状態変化検出部で受信機の状態変化が検出された場合にノイズレベルを再度測定するノイズレベル測定部と、
前記ノイズレベル測定部の測定結果を所定の閾値と比較して前記アクティブノイズキャンセラ回路部のオン／オフを判断するオン／オフ判断部と、
を備えた受信機。
【請求項３】
希望波信号を受信する第１のアンテナと、
前記第１のアンテナで受信された前記希望波信号を遮断する信号遮断部と、
相互に異なるアプリケーションを実行する複数のアプリケーション回路部と、
前記複数のアプリケーション回路部の少なくとも一に起因するノイズを受信する第２のアンテナと、
前記第２のアンテナで受信された前記ノイズの位相と振幅を制御して出力するアクティブノイズキャンセラ回路部と、
前記アクティブノイズキャンセラ回路部の出力を復調する受信回路部内に設けられ、ノイズレベル測定時に前記信号遮断部を制御して前記希望波信号を遮断した後、前記出力に含まれるノイズ成分のレベルを測定するノイズレベル測定部と、
予約録画時に動作するデバイス部と、
予約録画情報に応じて前記デバイス部を動作させた状態で前記ノイズレベル測定部の測定結果を所定の閾値と比較して前記アクティブノイズキャンセラ回路部のオン／オフを判断するオン／オフ判断部と、
を備えた受信機。
【発明の詳細な説明】
【技術分野】
【０００１】
本発明は、携帯電話等の無線端末に用いて好適な受信機に関する。
【背景技術】
【０００２】
近年、無線端末において、セルラー機能、カメラ、音楽再生、録音等のデジタル機能の他に、無線ＬＡＮ、ＧＰＳ（Global Positioning System）、ワンセグ、ＦＭラジオ等の受信機能が搭載され、高機能、多機能化が進んでいる。そのため、無線端末内部には非常に多くのノイズ源が混在し、薄型化、小型化の要求も相まって、それらノイズ源と無線端末のアンテナが近接し干渉することにより、セルラー機能、ＧＰＳ、ワンセグ、ＦＭラジオ等の受信機の受信感度が劣化する。また、無線端末の薄型化、小型化の要求から、最適なシールドを施せないことや、ノイズ対策がアンテナ特性に悪影響を及ぼし、ノイズを完全に抑制することが難しくなっている。
【０００３】
これらの課題を解決するために、特許文献１では、携帯端末内部のノイズのみを受信するノイズアンテナで受信するノイズと、希望波の送受信に用いられる無線通信用アンテナで受信したノイズが重畳した希望波との差分をとることでノイズを相殺し希望波のみ抽出し、安定した受信感度を得る方法が開示されている。また、特許文献２では、想定される雑音と逆位相の信号を意図的に生成し、アンテナで受信される干渉波を抑制する方法が開示されている。
【０００４】
また、特許文献３では、外部からの無線信号を受信するアンテナと、自端末内にある所定のノイズ源の近傍に設けられ、ノイズ源から発生するノイズを検出するノイズセンサ部と、自端末の使用状態を検出する状態検出部と、自端末の使用状態に対応して発生すると予測されるノイズのプロファイルを記憶するメモリ部と、状態検出部により検出した自端末の使用状態に基づいてメモリ部からノイズのプロファイルを選択し、選択したノイズのプロファイルに応じてノイズセンサ部の動作を制御する制御部と、ノイズセンサ部により検出されたノイズに基づいて定められノイズのプロファイルで整形して得られるノイズ模擬信号とアンテナから受信した無線信号との差分をとるノイズキャンセル部とを備え、携帯端末の動作モードが変化しても、アンテナで受信される干渉波を抑制する方法が開示されている。
【０００５】
また、特許文献４では、ダイバシティ受信機において、ビット誤り率（以下、“ＢＥＲ”という）を出力する誤り訂正部と、ＢＥＲを予め設定した閾値と比較して判定信号を出力するＢＥＲ判定器と、このＢＥＲ判定器からの判定信号が入力されるとともにチューナ部への電源供給の開始又は停止を制御するダイバ制御部とを備え、ＢＥＲ値によってダイバー受信とシングル受信を切り替えることで低消費電力化を実現する方法が開示されている。
【先行技術文献】
【特許文献】
【０００６】
【特許文献１】特開２００４−２６０４２８号公報
【特許文献２】米国特許第７１２３６７６号明細書
【特許文献３】特開２００８−２４４９８７号公報
【特許文献４】特開２００６−３１１２５８号公報
【発明の概要】
【発明が解決しようとする課題】
【０００７】
しかしながら、上述した各特許文献で開示された従来技術では、以下に列記する課題がある。
（１）特許文献１、２で開示された技術では、無線端末の動作モードや物理的状態に応じて、ノイズ源や発生するノイズ量が異なるため、ノイズの抑制効果が不十分である。物理的状態としては、例えば、折畳み式の携帯端末（開閉状態等）、電源電圧、周辺環境（例えば、温度や湿度等）である。
【０００８】
（２）特許文献３で開示された技術では、常にノイズキャンセル回路を動作させる為に、従来に比べ消費電力が大きくなる。因みに、図１０は従来のアクティブノイズキャンセラ付き受信機のＤＴＶ視聴時の動作を示すフロー図である。同図に示すように、従来はＤＴＶ（Digital Television）の視聴条件を設定した後に、ＡＮＣ（アクティブノイズキャンセラ）をオンに設定して視聴モードとなる。この場合、常にＡＮＣが動作するために消費電力が大きくなる。
【０００９】
（３）特許文献４で開示された技術では、ＢＥＲ情報を用いてオン／オフを判断する場合、同一の伝搬状態で比較できないため、平均化が必要であり、オン／オフ判定までの時間が長い。また、予約録画の実行時においては、録画動作前と録画時にて機器自身が発生するノイズが異なるため、録画動作前に受信感度を問題なしと判断した場合においても、録画時に受信感度を満たさない場合があった。
【００１０】
本発明は、係る事情に鑑みてなされたものであり、ノイズを十分に抑制することができるとともに、常に必要にして十分な受信感度を維持でき、しかも省電力化が図れる受信機を提供することを目的とする。
【課題を解決するための手段】
【００１１】
本発明の受信機は、希望波信号を受信する第１のアンテナと、前記第１のアンテナで受信された前記希望波信号を遮断する信号遮断部と、相互に異なるアプリケーションを実行する複数のアプリケーション回路部と、前記複数のアプリケーション回路部の少なくとも一に起因するノイズを受信する第２のアンテナと、前記第２のアンテナで受信された前記ノイズの位相と振幅を制御して出力するアクティブノイズキャンセラ回路部と、前記アクティブノイズキャンセラ回路部の出力を復調する受信回路部内に設けられ、ノイズレベル測定時に前記信号遮断部を制御して前記希望波信号を遮断した後、前記出力に含まれるノイズ成分のレベルを測定するノイズレベル測定部と、前記ノイズレベル測定部の測定結果を所定の閾値と比較して前記アクティブノイズキャンセラ回路部のオン／オフを判断するオン／オフ判断部と、を備えた。
【００１２】
上記構成によれば、アプリケーション回路部に起因するノイズを受信してその位相と振幅を制御し、制御後の出力に含まれるノイズ成分のレベルを希望波信号遮断状態で測定する。そして、ノイズレベルの測定結果を所定の閾値と比較してアクティブノイズキャンセラ回路部のオン／オフを判断する。
【００１３】
したがって、ノイズレベルが閾値以上であれば、アクティブノイズキャンセラ回路部をオンして当該ノイズを抑制し、ノイズレベルが閾値未満であればアクティブノイズキャンセラ回路部をオフすることで、ノイズを十分に抑制することができるとともに、常に必要にして十分な受信感度を維持でき、しかも省電力化が図れる。
【００１４】
本発明の受信機は、希望波信号を受信する第１のアンテナと、前記第１のアンテナで受信された前記希望波信号を遮断する信号遮断部と、相互に異なるアプリケーションを実行する複数のアプリケーション回路部と、前記複数のアプリケーション回路部の少なくとも一に起因するノイズを受信する第２のアンテナと、前記第２のアンテナで受信された前記ノイズの位相と振幅を制御して出力するアクティブノイズキャンセラ回路部と、受信機の状態変化を検出する状態変化検出部と、前記アクティブノイズキャンセラ回路部の出力を復調する受信回路部内に設けられ、ノイズレベル測定時に前記信号遮断部を制御して前記希望波信号を遮断した後、前記出力に含まれるノイズ成分のレベルを測定し、さらにノイズレベル測定後に前記状態変化検出部で受信機の状態変化が検出された場合にノイズレベルを再度測定するノイズレベル測定部と、前記ノイズレベル測定部の測定結果を所定の閾値と比較して前記アクティブノイズキャンセラ回路部のオン／オフを判断するオン／オフ判断部と、を備えた。
【００１５】
上記構成によれば、アプリケーション回路部に起因するノイズを受信してその位相と振幅を制御し、制御後の出力に含まれるノイズ成分のレベルを希望波信号遮断状態で測定し、さらにノイズレベル測定後に受信機の状態変化を検出した場合、ノイズレベルを再度測定する。そして、ノイズレベルの測定結果を所定の閾値と比較してアクティブノイズキャンセラ回路部のオン／オフを判断する。
【００１６】
したがって、ノイズレベルが閾値以上であれば、アクティブノイズキャンセラ回路部をオンして当該ノイズを抑制し、ノイズレベルが閾値未満であればアクティブノイズキャンセラ回路部をオフすることで、ノイズを十分に抑制することができるとともに、常に必要にして十分な受信感度を維持でき、しかも省電力化が図れる。特に、受信機の状態変化時には再度ノイズレベルの測定をし直すので、受信機の状態が変化した時でもノイズを十分に抑制することができる。なお、受信機の状態が変化した時とは、例えば、本受信機が携帯電話に適用された場合に、携帯電話の筐体の開き、閉じ等の筐体形状が変化した時、本受信機がＤＴＶ受信機能を有する携帯電話に適用された場合にチャンネル変更時等である。
【００１７】
本発明の受信機は、希望波信号を受信する第１のアンテナと、前記第１のアンテナで受信された前記希望波信号を遮断する信号遮断部と、相互に異なるアプリケーションを実行する複数のアプリケーション回路部と、前記複数のアプリケーション回路部の少なくとも一に起因するノイズを受信する第２のアンテナと、前記第２のアンテナで受信された前記ノイズの位相と振幅を制御して出力するアクティブノイズキャンセラ回路部と、前記アクティブノイズキャンセラ回路部の出力を復調する受信回路部内に設けられ、ノイズレベル測定時に前記信号遮断部を制御して前記希望波信号を遮断した後、前記出力に含まれるノイズ成分のレベルを測定するノイズレベル測定部と、予約録画時に動作するデバイス部と、予約録画情報に応じて前記デバイス部を動作させた状態で前記ノイズレベル測定部の測定結果を所定の閾値と比較して前記アクティブノイズキャンセラ回路部のオン／オフを判断するオン／オフ判断部と、を備えた。
【００１８】
上記構成によれば、アプリケーション回路部に起因するノイズを受信してその位相と振幅を制御し、制御後の出力に含まれるノイズ成分のレベルを希望波信号遮断状態且つ予約録画時に動作するデバイス部を動作させた状態で測定する。そして、ノイズレベルの測定結果を所定の閾値と比較してアクティブノイズキャンセラ回路部のオン／オフを判断する。
【００１９】
したがって、ノイズレベルが閾値以上であれば、アクティブノイズキャンセラ回路部をオンして当該ノイズを抑制し、ノイズレベルが閾値未満であればアクティブノイズキャンセラ回路部をオフすることで、ノイズを十分に抑制することができるとともに、常に必要にして十分な受信感度を維持でき、しかも省電力化が図れる。特に、ノイズレベル測定時には、予約録画時に動作するデバイス部を動作させた状態で行うので、予約録画が開始されたときにアクティブノイズキャンセラ回路部を効果的に動作させることができる。
【発明の効果】
【００２０】
本発明は、ノイズを十分に抑制することができるとともに、常に必要にして十分な受信感度を維持でき、しかも省電力化が図れる受信機を提供できる。
【図面の簡単な説明】
【００２１】
【図１】本発明の実施の形態１に係る受信機の概略構成を示すブロック図
【図２】自家中毒ノイズの特性例を示す図
【図３】図１の受信機のＤＴＶ視聴時の動作を示すフロー図
【図４】図１の受信機のノイズ測定モード時の動作を示すフロー図
【図５】図１の受信機のＤＴＶ視聴モード時の動作を示すフロー図
【図６】本発明の実施の形態２に係る受信機の概略構成を示すブロック図
【図７】図６の受信機のＤＴＶ視聴時の動作を示すフロー図
【図８】本発明の実施の形態３に係る受信機の概略構成を示すブロック図
【図９】図８の受信機のノイズ測定モード時の動作を示すフロー図
【図１０】従来のアクティブノイズキャンセラ付き受信機のメイン動作を示すフロー図
【発明を実施するための形態】
【００２２】
以下、本発明を実施するための好適な実施の形態について、図面を参照して詳細に説明する。
【００２３】
（実施の形態１）
図１は、本発明の実施の形態１に係る受信機の概略構成を示すブロック図である。同図において、本実施の形態の受信機１００は、希望波信号を受信するメインアンテナ（第１のアンテナ）１０１と、ノイズを受信するノイズ受信アンテナ（第２のアンテナ）１０２と、メインアンテナ１０１で受信された受信信号を遮断する信号遮断部１０３と、メインアンテナ１０１で受信された受信信号を増幅する低雑音増幅器１０４と、ノイズ受信アンテナ１０２で受信されたノイズ信号の位相と振幅を可変し、低雑音増幅器１０４で増幅された受信信号（希望波信号）と合成して出力するＡＮＣ（Active Noise Canceller:アクティブノイズキャンセラ）回路部１０５と、ＡＮＣ回路部１０５から出力された信号からデータを復調する受信回路部１０６と、受信回路部１０６で測定されたノイズレベルに基づいてＡＮＣ回路部１０５のオン／オフを判断するオン／オフ判断部１０７と、入力された信号に応じてＡＮＣ回路部１０５の位相、利得（ゲイン）、電源を制御するＡＮＣ制御部１０８と、受信機の受信モードを設定するモード設定部１０９とを備える。
【００２４】
ＡＮＣ回路部１０５は、合成部１２０と、可変位相部１２１と、可変利得部１２２とを備える。受信回路部１０６は、周波数変換部１３０と、フィルタ１３１と、可変利得部１３２と、復調部１３３と、復調部１３３に入力される信号を検波する検波部（ノイズレベル測定部）１３４と、周波数変換部１３０に入力されるローカル周波数を生成するローカル周波数発生部１３５とを備える。
【００２５】
一般に電子機器自身から発生するノイズ（所謂“自家中毒ノイズ”）は、周波数特性を持っている。自家中毒ノイズの発生源としては、例えばブルートゥース（登録商標）回路部やフェリカ（登録商標）回路部などのアプリケーション回路部である。このアプリケーション回路部は、アプリケーション起動のための基準クロックを出力する発信器を備え、この発信器がノイズの発生源となる。なお、ブルートゥースとはデジタル電子機器の近距離無線通信の規格であり、数ｍから数十ｍの距離の機器間での無線通信に利用される。２．４ＧＨｚ帯の電波が使用される。他方、フェリカとは、非接触ＩＣカード技術であり、交通機関の乗車券や電子マネーシステムなどで広く利用されている。１３．５６ＭＨｚ帯の電波が使用される。
【００２６】
図２に自家中毒ノイズの特性例を示す。同図において、ｘ軸は周波数、ｙ軸は信号レベルである。また、点線が受信機の受信感度点であり、ＣＨ１からＣＨ１０が受信機のチャネルとする。自家中毒ノイズにより受信感度仕様を満たさないチャネルはＣＨ２、ＣＨ３、ＣＨ４、ＣＨ６、ＣＨ８であり、それ以外のチャネルは自家中毒ノイズによる影響はほとんどない。但し、自家中毒ノイズ特性は同一機種においても、高周波信号用の部品バラツキにより特性が異なる場合が多く、また経年変化もある。
【００２７】
モード設定部１０９は、受信要求時（ＤＴＶ オン時）に受信回路部１０６を起動する。モード設定部１０９には、受信設定情報（ＤＴＶ視聴要求、受信ＣＨ情報）が入力されている。受信回路部１０６内のローカル周波数発生部１３５は、受信ＣＨ情報から当該ＣＨの周波数に設定される。
【００２８】
モード設定部１０９は、ノイズ測定モード時には、メインアンテナ１０１からの信号が受信回路部１０６に行かないようにするために、受信回路部１０６を介して信号遮断部１０３を制御してメインアンテナ１０１からの信号を遮断するとともに、低雑音増幅器１０４の利得を最小値（電源オフ）に設定する。さらに、モード設定部１０９は、ＡＮＣ制御部１０８を制御して、ＡＮＣ回路部１０５に内蔵された可変利得部１２２の利得を最大値に設定し、ノイズ受信アンテナ１０２で受信された「内部ノイズ」を増幅させる。ＡＮＣ回路部１０５で増幅された「内部ノイズ」は受信回路部１０６の周波数変換部１３０で周波数変換された後、フィルタ１３１でチャンネル帯域のノイズ成分のみ抽出される。そして、可変利得部１３２でレベル可変されて復調部１３３に入力される。復調部１３３に入力されたノイズは復調部１３３の検波部１３４でレベルが測定され、その測定結果がオン／オフ判断部１０７へ出力される。
【００２９】
オン／オフ判断部１０７は、検波部１３４で測定されたノイズレベルの測定結果を予め設定された閾値と比較し、比較結果をモード設定部１０９へ出力する。モード設定部１０９は、復調部１３３の検波部１３４で測定されたノイズレベルが閾値以上であれば、ＡＮＣ制御部１０８にＡＮＣ回路部１０５の回路電源をオンする指令を与えて視聴モードに移る。一方、検波部１３４で測定されたノイズレベルが閾値未満であれば、ＡＮＣ制御部１０８にＡＮＣ回路部１０５の回路電源をオフする指令を与えて視聴モードに移る。
【００３０】
モード設定部１０９は、視聴モード時には、受信回路部１０６を介して信号遮断部１０３を制御してメインアンテナ１０１からの信号を低雑音増幅器１０４に入力するとともに、低雑音増幅器１０４の利得を受信レベルに応じた最適値に設定する。受信回路部１０６の復調部１３３は復調したデータを出力する。
【００３１】
ＡＮＣ オン時のＡＮＣ回路部１０５の動作としては、例えばＡＮＣ制御部１０８が受信回路部１０６のレジスタ情報を読み、ＳＮＲ（Signal to Noise Ratio）等の情報を認識し、この情報を基にメインアンテナ１０１に入力された自家中毒ノイズを合成部１２０にて打ち消すように可変位相部１２１と可変利得部１２２をそれぞれ制御する。
【００３２】
次に、本実施の形態の受信機１００の動作を説明する。
図３は、受信機１００のＤＴＶ視聴時の動作を示すフロー図である。同図において、ＤＴＶの視聴条件を設定した後に、「ノイズ測定モード」にて視聴条件時の自家中毒ノイズレベルを測定し（ステップ１）、測定したノイズレベルが一定値以上であればＡＮＣ回路部１０５をオンしてＤＴＶ視聴モードに入り、ノイズレベルが一定値未満であればＡＮＣ回路部１０５をオフしてＤＴＶ視聴モードになる（ステップ２）。
【００３３】
図４は、受信機１００のノイズ測定モード時の動作を示すフロー図である。同図において、メインアンテナ１０１の直下の信号遮断部１０３を制御してメインアンテナ１０１からの信号が受信回路部１０６に行かないように信号遮断部１０３を制御してメインアンテナ１０１からの信号を遮断する（ステップ１０）。次いで、低雑音増幅器１０４の利得を最小値（電源オフ）に設定する（ステップ１１）。さらに、ＡＮＣ回路部１０５の可変利得部１２２の利得を最大にする（ステップ１２）。可変利得部１２２の利得を最大に設定した後、可変利得部１３２を最適値に設定し、受信回路部１０６の検波部１３４にてノイズレベルを測定する（ステップ１３）。即ち、ノイズの電界強度を測定する。
【００３４】
ノイズレベルの測定後、測定したノイズレベルを閾値と比較し（ステップ１４）、ノイズレベルが閾値以上であればＡＮＣ回路部１０５をオンし（ステップ１５）、閾値未満であればＡＮＣ回路部１０５をオフする（ステップ１６）。ステップ１５又はステップ１６のいずれか一方の処理を行った後、ノイズ測定モードを終了する。
【００３５】
図５は、受信機１００のＤＴＶ視聴モード時の動作を示すフロー図である。同図において、メインアンテナ１０１の直下の信号遮断部１０３を制御してメインアンテナ１０１からの信号が受信回路部１０６に行くように信号遮断部１０３を制御してメインアンテナ１０１からの信号を通過させる（ステップ２０）。次いで、低雑音増幅器１０４の利得を受信レベルに応じた最適値に設定する（ステップ２１）。そして、受信回路部１０６にて受信信号を復調する（ステップ２２）。
【００３６】
このように本実施の形態の受信機１００によれば、アプリケーション回路部（図示せず）に起因するノイズ（自家中毒ノイズ）を受信してその位相と振幅を制御し、制御後の出力に含まれるノイズ成分のレベルを希望波信号遮断状態で測定する。そして、ノイズレベルの測定結果を所定の閾値と比較してＡＮＣ回路部１０５のオン／オフを判断し、ノイズレベルが閾値以上であれば、ＡＮＣ回路部１０５をオンして当該ノイズを抑制し、ノイズレベルが閾値未満であればＡＮＣ回路部１０５をオフする。チャンネル選択毎にこの制御を行うことで、ノイズを十分に抑制することができるとともに、常に必要にして十分な受信感度を維持でき、しかも省電力化が図れる。
【００３７】
（実施の形態２）
図６は、本発明の実施の形態２に係る受信機の概略構成を示すブロック図である。なお、同図において前述した図１と共通する部分には同一の符号を付けてその説明を省略する。
【００３８】
本実施の形態の受信機２００は、受信機２００の筐体の閉じ開き等の使用状態変化を検出する状態変化検出部２０１を備えている。モード設定部１０９は、ＤＴＶ視聴モード時に状態変化検出部２０１にて状態変化が検出されると、ノイズ測定モードに移行する。なお、状態変化には、ＤＴＶ以外のフェリカ回路部やブルートゥース回路部等のアプリケーション回路部のオン／オフ等も含まれる。
【００３９】
図７は、受信機２００のＤＴＶ視聴時の動作を示すフロー図である。同図において、ＤＴＶの視聴条件を設定した後に、「ノイズ測定モード」にて視聴条件時の自家中毒ノイズレベルを測定し（ステップ１）、測定したノイズレベルが一定値以上であればＡＮＣ回路部１０５をオンしてＤＴＶ視聴モードに入り、ノイズレベルが一定値未満であればＡＮＣ回路部１０５をオフしてＤＴＶ視聴モードになる（ステップ２）。ＤＴＶ視聴モード中に状態変化即ち筐体状態（閉じ、開き）変更、視聴ＣＨ、ＤＴＶ以外のアプリケーション（フェリカ、ブルートゥース等）状態変更があるかどうか判定し、状態変化がなければステップ２に戻ってＤＴＶ視聴モードを継続し、状態変化があればステップ１に戻り、ノイズ測定モードの処理を行う。これにより、筐体の変化等に伴いノイズ受信アンテナ１０２に飛び込む自家中毒ノイズの特性が変化した場合においても、再度ノイズ測定を行い、ノイズレベルが低い場合においては低消費電力化することができる。
【００４０】
このように本実施の形態の受信機２００によれば、アプリケーション回路部（図示せず）に起因するノイズ（自家中毒ノイズ）を受信してその位相と振幅を制御し、制御後の出力に含まれるノイズ成分のレベルを希望波信号遮断状態で測定し、さらにノイズレベル測定後に受信機の状態変化を検出した場合、ノイズレベルを再度測定する。そして、ノイズレベルの測定結果を所定の閾値と比較してアクティブノイズキャンセラ回路部１０５のオン／オフを判断し、ノイズレベルが閾値以上であれば、アクティブノイズキャンセラ回路部１０５をオンして当該ノイズを抑制し、ノイズレベルが閾値未満であればアクティブノイズキャンセラ回路部１０５をオフする。これにより、ノイズを十分に抑制することができるとともに、常に必要にして十分な受信感度を維持でき、しかも省電力化が図れる。特に、受信機の状態変化時には再度ノイズレベルの測定をし直すので、受信機２００の状態が変化した時でもノイズを十分に抑制することができる。
【００４１】
（実施の形態３）
図８は、本発明の実施の形態３に係る受信機の概略構成を示すブロック図である。なお、同図において前述した図１と共通する部分には同一の符号を付けてその説明を省略する。
【００４２】
本実施の形態の受信機３００は、図１に対しＳＤメモリ制御部３０２を制御可能な擬似制御部３０１を備える。ＳＤメモリ制御部（デバイス部）３０２は、フラッシュメモリの一種であるＳＤメモリ（登録商標）に対してデータの書き込み、読み出しを行うものである。本実施の形態ではこのＳＤメモリに録画を行う。
【００４３】
一般にＳＤメモリへのアクセス時においては、自家中毒ノイズレベルが増加することが判明している。録画中にノイズを測定した場合、データ欠落を起こし、ユーザにとって不利益となる。本実施の形態では、予約録画時において、録画開始前に擬似録画状態にてノイズレベルを測定することで、ＡＮＣ回路部１０５のオン／オフ判断を精度よく行うことができる。これにより、予約録画時においても、事前に実動作と同じノイズ測定を行い、ノイズレベルが大きい場合はＡＮＣ動作により受信感度を高められ、ノイズレベルが低い場合においては低消費電力化を図ることができる。
【００４４】
図９は、受信機３００のノイズ測定モード時の動作を示すフロー図である。同図において、メインアンテナ１０１の直下の信号遮断部１０３を制御してメインアンテナ１０１からの信号が受信回路部１０６に行かないように信号遮断部１０３を制御してメインアンテナ１０１からの信号を遮断する（ステップ３０）。次いで、低雑音増幅器１０４の利得を最小値（電源オフ）に設定する（ステップ３１）。そして、視聴か予約録画かを判定し（ステップ３２）、予約録画である場合は、ＳＤメモリ制御部３０２を動作させることによるノイズの出方を見るために疑似録画設定にしてＳＤメモリにデータの書き込みを行う（ステップ３３）。ＳＤメモリにデータの書き込みを行った後、ＡＮＣ回路部１０５の可変利得部１２２の利得を最大にする（ステップ３４）。
【００４５】
一方、上記ステップ３２の判定で視聴である場合は、何も処理をせず、ステップ３４に移行する。ステップ３４で可変利得部１２２の利得を最大に設定した後、受信回路部１０６の検波部１３４にてノイズレベルを測定する（ステップ３５）。即ち、ノイズの電界強度を測定する。ノイズレベル測定ではＳＤメモリ制御部３０２を動作させることでノイズが発生した場合に、そのノイズを含むノイズレベルが測定される。
【００４６】
ノイズレベルの測定後、再度視聴か予約録画かを判定し（ステップ３６）、予約録画である場合は、疑似録画設定を解除し、ＳＤメモリへのデータの書き込みを停止する（ステップ３７）。疑似録画設定を解除した後、検波部１３４で測定されたノイズレベルを閾値と比較し（ステップ３８）、ノイズレベルが閾値以上であればＡＮＣ回路部１０５をオンし（ステップ３９）、閾値未満であればＡＮＣ回路部１０５をオフする（ステップ４０）。ステップ３９又はステップ４０のいずれか一方の処理を行った後、ノイズ測定モードを終了する。また、上記ステップ３６の判定で、視聴である場合は何も処理をせず、ステップ３８に移行する。
【００４７】
このように本実施の形態の受信機３００によれば、アプリケーション回路部（図示せず）に起因するノイズ（自家中毒ノイズ）を受信してその位相と振幅を制御し、制御後の出力に含まれるノイズ成分のレベルを希望波信号遮断状態且つ予約録画時に動作するＳＤメモリ制御部３０２を動作させた状態で測定する。そして、ノイズレベルの測定結果を所定の閾値と比較してアクティブノイズキャンセラ回路部１０５のオン／オフを判断し、ノイズレベルが閾値以上であれば、アクティブノイズキャンセラ回路部１０５をオンして当該ノイズを抑制し、ノイズレベルが閾値未満であればアクティブノイズキャンセラ回路部１０５をオフする。これにより、ノイズを十分に抑制することができるとともに、常に必要にして十分な受信感度を維持でき、しかも省電力化が図れる。特に、ノイズレベル測定時には、予約録画時に動作するＳＤメモリ制御部３０２を動作させた状態で行うので、予約録画が開始されたときにアクティブノイズキャンセラ回路部１０５を効果的に動作させることができる。
【産業上の利用可能性】
【００４８】
本発明は、ノイズを十分に抑制することができるとともに、常に必要にして十分な受信感度を維持でき、しかも省電力化が図れるといった効果を有し、携帯電話等の小型の無線機器への適用が可能である。
【符号の説明】
【００４９】
１００、２００、３００  受信機
１０１  メインアンテナ
１０２  ノイズ受信アンテナ
１０３  信号遮断部
１０４  低雑音増幅器
１０５  ＡＮＣ回路部
１０６  受信回路部
１０７  オン／オフ判断部
１０８  ＡＮＣ制御部
１０９  モード設定部
１２０  合成部
１２１  可変位相部
１２２  可変利得部
１３０  周波数変換部
１３１  フィルタ
１３２  可変利得部
１３３  復調部
１３４  検波部
１３５  ローカル周波数発生部
２０１  状態変化検出部
３０１  擬似制御部
３０２  ＳＤメモリ制御部
【図１】
2011176410.tif 000003
【図２】
2011176410.tif 000004
【図３】
2011176410.tif 000005
【図４】
2011176410.tif 000006
【図５】
2011176410.tif 000007
【図６】
2011176410.tif 000008
【図７】
2011176410.tif 000009
【図８】
2011176410.tif 000010
【図９】
2011176410.tif 000011
【図１０】
2011176410.tif 000012